(57)【要約】【課題】バーナの温度状態に関係なく、静音でスモークの発生もない、常に良好な着火が行える燃焼制御装置を提供する。【解決手段】電磁ポンプ５によって燃油を供給する燃油供給手段で、着火時は燃油温度自体或いは燃油温度相当値に応じて、前記電磁ポンプ５に印加する電圧の位相制御値を補正するようにしたので、着火時の燃油の粘度に応じて、吐出量及び吐出形態を変化させられるので、その粘度に最適な吐出が行え、従来通り静音着火が得られ、着火不良による臭気やスモークの発生を確実に防止して、常に良好な着火が行えるものである。【選択図】  図１
2005257183.tif 000002
【特許請求の範囲】
【請求項１】
電磁ポンプによって燃油を供給する燃油供給手段に於いて、着火時は燃油温度自体或いは燃油温度相当値に応じて、前記電磁ポンプに印加する電圧の位相制御値を補正する事を特徴とする燃焼制御装置。
【請求項２】
前記燃油温度換算値は、燃焼停止からの経過時間や、燃焼室内の温度や、ノズル温度の内の１つ又はこれらの組み合わせである事を特徴とする請求項１記載の燃焼制御装置。
【請求項３】
前記位相制御値は、電磁ポンプに印加するオンタイムや、制御時間の内の１つ又はこれらの組み合わせである事を特徴とする請求項１及び２記載の燃焼制御装置。
【発明の詳細な説明】
【技術分野】
【０００１】
この発明は石油を燃料とするガンタイプバ−ナを有した給湯機等の燃焼制御装置に関するものである。
【背景技術】
【０００２】
従来よりこの種のものでは、着火時に電磁ポンプの吐出圧を３段階に昇圧することで、電圧変動等が生じても、確実に静音着火が行えるようにしたものであった。（例えば、特許文献１参照。）
【特許文献１】特開平９−７９５７６号公報
【発明の開示】
【発明が解決しようとする課題】
【０００３】
ところでこの従来のものでは、器具が冷えている状態と、燃焼して器具が温まった状態では、吐出される燃油の温度による粘度の相違によって、同じ吐出量の制御をしていても、吐出量の変動及び脈動幅が大きくなって、着火不良が発生して臭気やスモークの発生原因となるものであった。
【課題を解決するための手段】
【０００４】
この発明はこの点に着目し上記問題点を解決する為、請求項１では、電磁ポンプによって燃油を供給する燃油供給手段に於いて、着火時は燃油温度自体或いは燃油温度相当値に応じて、前記電磁ポンプに印加する電圧の位相制御値を補正するものである。
【０００５】
又請求項２では、燃油温度換算値は、燃焼停止からの経過時間や、燃焼室内の温度や、ノズル温度の内の１つ又はこれらの組み合わせとしたものである。
【０００６】
又請求項３では、位相制御値は、電磁ポンプに印加するオンタイムや、制御時間の内の１つ又はこれらの組み合わせとしたものである。
【発明の効果】
【０００７】
この請求項１の発明によれば、着火時の燃油の粘度に応じて、吐出量及び吐出形態を変化させられるので、その粘度に最適な吐出が行え、従来通り静音着火が得られ、着火不良による臭気やスモークの発生を確実に防止して、常に良好な着火が行えるものである。
【０００８】
又請求項２によれば、吐出される燃油温度に関係する、燃焼停止からの経過時間や、燃焼室内の温度や、ノズル温度によって、吐出量や吐出形態を変化させることで、直接燃油温度を検知しなくても燃油の粘度をある程度把握出来、制御の選択肢の幅が広がり使用勝手が良くなるものである。
【０００９】
又請求項３によれば、吐出される燃油の粘度に応じて、電磁ポンプに印加されるオンタイムや制御時間が変えられるので、確実に燃油の吐出量が変化し吐出形態も変化され、常に静かで良好な着火が行え、安心して使用出来るものである。
【発明を実施するための最良の形態】
【００１０】
次にこの発明に係る燃焼制御装置を図面に示された実施形態で説明する。
１は交流の商用電源２に接続したポンプ駆動回路で、運転スイッチ３とダイオ−ド４及び電磁ポンプ５とが直列接続されており、又電磁ポンプ５には半導体素子を構成するサイリスタ６が直列に接続され、このサイリスタ６の他に半導体素子としてはＳＳＲ、トライアック等でも良いものである。
【００１１】
７は上記サイリスタ６のゲ−トに出力端子を接続したマイコンで、燃油温度相当値とする燃焼室内の温度を検出する温度センサ８が入力側に接続されており、前記マイコン７は着火時所定時間をカウントし、図２、３、４の実線に示す如く、０．２ｓｅｃ、０．６ｓｅｃ、０．８ｓｅｃの３ヶ所のタイミングでサイリスタ６の導通角を変化するように制御するものである。
【００１２】
又この制御は、使用周波数５０Ｈｚを例にあげて説明すれば、当初のオンタイムθ1＝０ｓｅｃで電磁ポンプ５の印加位相時間４．２ｍｓｅｃで１kg／cm2以下の吐出圧を、オンタイムθ2＝０．２ｓｅｃで４．６ｍｓｅｃ・１kg／cm2以上、オンタイムθ3＝０．４ｓｅｃで５．６ｍｓｅｃ・３．５kg／cm2、オンタイムθ4＝０．６ｓｅｃで１０ｍｓｅｃ・通常の７kg／cm2と変化させ、θ2〜θ3＝１〜３．５kg／cm2の間で着火動作させ極めて吐出圧の低い所で確実に着火させるもので、この間の傾斜領域をポンプ着火領域Ａとし、この前に傾斜領域θ1〜θ2を形成して補助領域Ｂとし、後に傾斜領域θ3〜θ4を補助領域Ｃとし、このθ1〜θ4を基準値としたものである。
【００１３】
次に温度センサ８からの検出値に応じてマイコン７は、前記の基準値を補正するものであり、図２では印加位相時間はそのままで、オンタイムを可変して燃油温度が高い時には、補正値Ｄのように基準値より吐出圧力が高くなるように補正し、又燃油温度が低い時には、補正値Ｅのように基準値より吐出圧力が低くなるように補正するものである。
【００１４】
又ここでは、燃油温度相当値として燃焼室内の温度センサ８としているが、例えばノズル温度でも良く、燃油そのものの温度を検出するようにすれば、より確実に補正出来るものであり、温度でなく燃焼停止からの経過時間でも補正出来、センサを設ける必要がなく制御もカウンタを設けるだけで、より容易に制御出来ることとなるものである。
【００１５】
更に図３ではオンタイムはそのままで、印加位相開始時間を燃油温度に応じて補正するもので、燃油温度が高い時には、補正値Ｆのように基準値より早めにポンプ着火動作に入るように補正して吐出圧力が不良になる前に着火し、又燃油温度が低い時には、補正値Ｇのように基準値より遅くポンプ着火動作して十分安定した吐出圧力を保持させるものである。
【００１６】
更に図４ではオンタイムと印加位相開始時間との両方を燃油温度に応じて補正するもので、燃油温度が高い時には、補正値Ｈのように吐出圧力を高くする共に、ポンプ着火時間を早めるものであり、又燃油温度が低い時には、補正値Ｉのように吐出圧力を低くすると共に、ポンプ着火時間を遅くするものであり、どのような燃油温度でも常に確実に良好に着火出来るようにするものである。
【図面の簡単な説明】
【００１７】
【図１】この発明一実施例を付した燃焼制御装置の電気回路図。
【図２】同電磁ポンプのオンタイム補正を示す動作特性図。
【図３】同電磁ポンプの印加位相開始時間補正を示す動作特性図。
【図４】同電磁ポンプのオンタイムと印加位相開始時間の両方補正を示す動作特性図。
【符号の説明】
【００１８】
５  電磁ポンプ
６  半導体素子（サイリスタ）
７  マイコン
８  温度センサ
Ａ  ポンプ着火領域
Ｂ、Ｃ  補助領域
Ｄ、Ｅ、Ｆ、Ｇ、Ｈ、Ｉ  補正値
【図１】
2005257183.tif 000003
【図２】
2005257183.tif 000004
【図３】
2005257183.tif 000005
【図４】
2005257183.tif 000006